(57)【要約】【課題】リモコンの操作に不慣れな者、或いは取扱説明書を読まない者であっても、所望の運転を実行させるための操作を確実に行えるようにする。【解決手段】タッチパネル式の操作／表示部を設け、複数のボタンにはそれぞれそのときの状態に合わせて異なる機能を割り当てる。運転オフ時の画面Ａでは本リモコンの使用方法の説明を指示するボタンが設けられ、表示の指示に従ってボタン操作を行ってゆくと、順次各種の運転を行う際の使用方法が表示及び音声ガイダンスで行われ、最終的に所望の運転の使用方法をデモ画面Ｅで説明した後に操作確認画面Ｆで設定を実行の有無が問われる。設定を行うボタン操作を行えば、設定項目の変更画面へと移行し、適宜に条件を変更した運転が実行できる。これにより、ボタンの操作回数は多くなるものの、使用方法を確認しながら所望の運転の指示に円滑に移行できる。【選択図】  図２２
2004293921.tif 000002
【特許請求の範囲】
【請求項１】
各種住宅設備機器の運転の遠隔制御やその運転状態の遠隔監視を行うために、複数の操作用のボタンと少なくとも文字情報を表示可能な表示画面を有する表示手段とを具備する住宅設備機器用リモコン装置において、
前記複数のボタンの操作をそれぞれ検知する操作検知手段と、
該操作検知に応じて、前記表示手段に初期画面が表示された状態から、１乃至複数の画面の切り替わりを経て、各種住宅設備機器の運転に関わる設定又は変更を行うための運転設定画面への移行を行う表示モード制御手段と、を備え、
前記１乃至複数の画面の切り替わりの際に、前記運転設定画面における操作手順の説明情報を表示する画面を経る第１の操作パターンと、該操作手順の説明情報を表示する画面を経ない第２の操作パターンの少なくとも２通りの操作パターンを有することを特徴とする住宅設備機器用リモコン装置。
【請求項２】
前記表示モード制御手段は、前記第１の操作パターンにあって、前記操作手順の説明情報の出力中に所定ボタンの操作が検知されたとき、又は該説明情報の出力終了後に、その説明情報の内容に対応した運転設定画面への移行の要否の入力を使用者に要求する入力要求画面を表示することを特徴とする請求項１に記載の住宅設備機器用リモコン装置。
【請求項３】
前記表示モード制御手段は、前記第１の操作パターンにあって、操作手順の説明項目の目次情報を表示するとともにその目次情報中の１つの項目の選択指示を受け付ける選択項目メニュー画面を表示することを特徴とする請求項１に記載の住宅設備機器用リモコン装置。
【請求項４】
前記複数のボタンは前記表示手段の表示画面内に設けられたタッチパネル式の入力手段であることを特徴とする請求項１〜３のいずれかに記載の住宅設備機器用リモコン装置。
【発明の詳細な説明】
【０００１】
【発明の属する技術分野】
本発明は、給湯機、換気装置、暖房装置等の住宅設備機器を遠隔操作及び遠隔監視するための住宅設備機器用リモコン装置に関する。
【０００２】
【従来の技術】
一般家庭において、浴室や台所などに給湯を行う給湯機本体（燃焼機）を遠隔操作するために、浴室や台所の壁面等にリモコンが設置されている。こうしたリモコンは子供から高齢者まで広く利用するものであるから、使い易さが非常に重視されており、これまで様々な技術が採り入れられている。例えば、単にブザー音やランプによる簡単な表示ではなく、文字情報を表示可能な表示器を設けたものや、音声によるガイダンスを行うものなどが実用化されている（例えば特許文献１、非特許文献１等）。
【０００３】
例えば非特許文献１に記載のリモコンでは、浴槽へのお湯はりボタンの操作を受け付けると、文字による表示を行うのみならず、「お風呂にお湯をはります。
」といったガイダンス音声が発せられ、これによって使用者が確実且つ容易に給湯機の動作状態を認識することができる。
【０００４】
また、リモコンで何らかの操作を行ったときにその操作が適切でなかった場合、その誤り状況を操作者に知らせたり、適切な操作をガイダンスしたりするような技術も知られている（例えば、特許文献２等）。
【０００５】
【特許文献１】
特開平５−７１８０３号公報
【特許文献２】
特開２０００−１３８９７７号公報
【非特許文献１】
“次世代リモコン”、「浴室リモコン、台所リモコンの全てに「音声ガイド」機能を搭載。」、［Ｏｎｌｉｎｅ］、日本ユプロ株式会社、［平成１５年３月１０日検索］、インターネット〈ＵＲＬ：  ｈｔｔｐ：／／ｗｗｗ．ｙｕｐｒｏ．ｃｏ．ｊｐ／ｓｖ＿１／ｓｖ１．ｈｔｍ〉
【０００６】
【発明が解決しようとする課題】
ところで、近年、住宅設備機器では、例えば浴室換気装置に暖房機能や乾燥機能が加わる等、ますます高機能化しており、１台のリモコンで、浴室換気暖房乾燥機の運転と給湯機による風呂のお湯はり等との操作を兼用して行えるようにする必要が生じている。こうした高機能化、複雑化に伴って、操作の種類は一段と増加する傾向にある。もちろん、こうした様々な操作方法は取扱説明書に記載されているが、一般の使用者はこうした取扱説明書を熟読するのが非常に面倒であるという場合が多い。また、使用者の中には例えば高齢者や主婦など、機器の操作一般を苦手とし、簡単なリモコン操作でさえ避けようとする者もある。
【０００７】
そのため、こうした使用者であっても簡単に操作が行えるようなリモコンが強く要望されている。本発明はこのような課題を解決するために成されたものであり、その主たる目的は、こうしたリモコンの操作が不得意な使用者であっても、煩雑な取扱説明書を参照することなく、所定の手順に従って所望の動作を確実に指示することができるような住宅設備機器用リモコンを提供することにある。
【０００８】
【課題を解決するための手段、及び効果】
上記課題を解決するために成された本発明は、各種住宅設備機器の運転の遠隔制御やその運転状態の遠隔監視を行うために、複数の操作用のボタンと少なくとも文字情報を表示可能な表示画面を有する表示手段とを具備する住宅設備機器用リモコン装置において、
前記複数のボタンの操作をそれぞれ検知する操作検知手段と、
該操作検知に応じて、前記表示手段に初期画面が表示された状態から、１乃至複数の画面の切り替わりを経て、各種住宅設備機器の運転に関わる設定又は変更を行うための運転設定画面への移行を行う表示モード制御手段と、を備え、
前記１乃至複数の画面の切り替わりの際に、前記運転設定画面における操作手順の説明情報を表示する画面を経る第１の操作パターンと、該操作手順の説明情報を表示する画面を経ない第２の操作パターンの少なくとも２通りの操作パターンを有することを特徴としている。
【０００９】
使用者が本発明に係るリモコン装置を操作して、例えばふろへの給湯運転を指示したい場合に、当該リモコン装置の表示手段に初期画面が表示された状態から、異なる２通りのボタン操作パターンで、上記ふろへの給湯運転に関わるパラメータ（例えばふろの湯温、ふろの水位など）を設定又は変更するための運転設定画面に到達することが可能である。
【００１０】
即ち、使用者が比較的リモコン装置の操作に不慣れである場合には、例えば表示画面の表示又はボタンの機能を示す表記に従って所定のボタン操作を行うと、ふろへの給湯運転に関わるパラメータを設定又は変更するための操作手順を説明する表示が表示画面に現れる。このときの説明情報は文字情報のほか、ボタン操作を表現する指の絵などのグラフィック情報、更には音声ガイダンスなどを利用してもよい。使用者はこれを見て所望の設定や変更を行うための操作手順を容易に理解することができる。さらに引き続いて、使用者が所定のボタン操作を行うことで、直前に説明情報を受けた設定や変更などを実際に受け付ける表示画面に遷移するので、先に操作手順の説明で理解したようにボタン操作を行って、所望の設定や変更を行うことができる。
【００１１】
一方、リモコンの操作を熟知した使用者にとっては、上記のように一々、操作手順の説明が表示されると却って煩わしい。その場合には、操作手順の説明情報を表示する過程を経ない第２の操作パターンに沿って操作を行えばよい。それによって一般には、第１の操作パターンに沿ったボタン操作よりも少ないボタン操作回数で以て速やかに、所望の設定や変更などを実際に受け付ける運転設定画面に移行することができる。
【００１２】
このように本発明に係る住宅設備機器用リモコン装置によれば、このリモコン装置の操作方法や使用方法を殆ど知らない場合であっても、画面上に文字情報やグラフィック情報として表示される操作方法や使用方法の説明を受けて、その内容を確認しながらボタン操作を行ってゆき、最終的に所望の運転に関するパラメータの設定や変更を行うための運転設定画面に辿り着くことができる。そのため、こうした機器の操作に不慣れな者や取扱説明書を全く読まない者でも、安心して且つ確実に所望の運転を指示するための操作を行うことができる。一方、既に操作方法や使用方法を熟知している者は、操作方法や使用方法の説明を行う過程を経ずに、少ないボタン操作回数で以て速やかに所望の運転に関するパラメータの設定や変更を行うための運転設定画面を呼び出し、必要な指示を与えることができるので、操作に要する時間が短縮できる。
【００１３】
本発明に係るリモコン装置の一態様として、前記表示モード制御手段は、前記第１の操作パターンにあって、前記操作手順の説明情報の出力中に所定ボタンの操作が検知されたとき、又は該説明情報の出力終了後に、その説明情報の内容に対応した運転設定画面への移行の要否の入力を使用者に要求する入力要求画面を表示する構成とすることができる。
【００１４】
この構成によれば、使用者が操作手順の説明の表示や出力が終了した後に、何らの操作を受けなくても、自動的に直前の説明情報内容に対応した運転設定画面への遷移の要否を入力する入力要求画面に移行するので、使用者がリモコンの操作に不慣れであっても操作に手間取ることがなくなる。また、説明を出力し始めたもののその説明が不要であったり途中で操作を理解できたような場合には、所定の操作を行って速やかにその説明の出力を中断させ、直前の説明情報内容に対応した運転設定設定への遷移の要否を入力する入力要求画面に移行することもできる。従って、不要な説明を省略して迅速に所望の設定や変更を行うことができる。
【００１５】
また、本発明に係るリモコン装置の一態様として、前記表示モード制御手段は、前記第１の操作パターンにあって、操作手順の説明項目の目次情報を表示するとともにその目次情報中の１つの項目の選択指示を受け付ける選択項目メニュー画面を表示する構成とすることが好ましい。
【００１６】
この構成では、使用者が選択項目メニュー画面を見れば、このリモコン装置を用いて操作可能な全機能を容易に確認することができる。また、日常的に高い頻度で使用している機能以外にも各種の機能があることを認識できるので、リモコン装置の使用のバリエーションが広がるという利点もある。
【００１７】
なお、本発明に係るリモコン装置では、使用者によるボタン操作に応じて表示画面が順次切り替わるため、各ボタンの機能表記を固定しようとするとボタンの数が多くなる。そうした場合、そのときの表示画面に対応しないボタンが存在して操作が分かりにくくなったり、またスペースの制約上、ボタンが小さくなったりして使いにくくなる。また、ボタンの数を減らすために複数のボタンの同時押しなどの操作も考えられるが、こうした操作は一般に分かりにくい。そこで、本発明に係るリモコン装置では、前記複数のボタンは前記表示手段の表示画面内に設けられたタッチパネル式の入力手段である構成とすることが好ましい。
【００１８】
即ち、この構成では、ボタンの機能表記自体が表示によって切り替わる。従って、そのときの表示画面で操作の必要のあるボタンのみに機能表記を行うことができるので、操作が非常に分かり易い。また、ボタンを大きくし、機能表記の文字も大きくすることができるので、例えば高齢者等の視力の落ちた使用者にも使い易くすることができる。
【００１９】
【発明の実施の形態】
以下、本発明の住宅設備機器用リモコン装置の一実施例について図面を参照しつつ説明する。図１は本実施例によるリモコン装置の制御系のブロック構成図、図２は本実施例のリモコン装置を備えた住宅設備機器システムの概略構成図である。
【００２０】
図２に示すように、本実施例のリモコン１０Ａ、１０Ｂは浴室４内や台所５などの壁面に設置されており、壁内や天井裏、或いは床下などに配設された通信線３を介して給湯機１や浴室換気暖房乾燥機２などの住宅設備機器に接続され、こうした機器の動作を遠隔操作したりその動作を監視したりするために利用される。
【００２１】
図１に示すように、リモコン１０の制御の中心にはマイクロコンピュータを含む中央制御部１１が据えられ、その中央制御部１１には、通信制御部１２、読取専用メモリ（ＲＯＭ）１３、操作検知部１４、表示制御部１５、音声出力部１６等が接続され、音声出力部１６にはスピーカ１７が、操作検知部１４及び表示制御部１５には操作／表示部２０が接続されている。
【００２２】
操作／表示部２０はタッチパネル式のＬＣＤであり、下段に４個（符号２０ａ、２０ｂ、２０ｃ、２０ｄ）、上段に５個（符号２０ｅ、２０ｆ、２０ｇ、２０ｈ、２０ｉ）のタッチ式のボタンが設けられている。上段の５個のボタンは上部表示画面２０ｊ内に位置しており、この上部表示画面２０ｊにはそれらボタンに関する表示以外に各種の文字情報が表示されるようになっている。ボタン操作の検知方法は特に問わないが、例えば赤外光の遮蔽を利用したものなどが有用である。
【００２３】
操作検知部１４はこうした各種の検知方法により上記９個のボタン２０ａ〜２０ｉのオン・オフを検知し、これらのボタンが操作される度に、その操作内容に応じた信号を中央制御部１１へ送る。通信制御部１２は中央制御部１１の指示に従って、通信線３を介して給湯機１や浴室換気暖房乾燥機２へ制御信号を送ったり、逆にこれら機器からモニタ信号や故障検出信号等の信号を受け取って中央制御部１１へ送る。
【００２４】
表示制御部１５は中央制御部１１の指示に従って操作／表示部２０の上部表示画面２０ｊを用いて視覚的に情報を表示したり、各ボタンに相当する位置にそれぞれのボタンに割り当てられた機能の表示を行う。従って、中央制御部１１及び表示制御部１５とが協働して、本発明における表示モード制御手段の機能を担う。また、音声出力部１６はスピーカ１７を用いてガイダンス音声やブザー音等を出力する。ＲＯＭ１３には、後述するような操作・表示制御を初めとする各種の運転を実行する際のプログラムが格納されている。
【００２５】
本実施例のリモコンの特徴は、中央制御部１１による制御の下で実行される操作及び表示処理にある。以下に、その点について詳しく説明する。
【００２６】
図３〜図８は本リモコンで実行される操作・表示処理を示すフローチャート、図９〜図２１はその処理に伴って表示される画面の例を示す図、図２２は図９〜図２１の表示画面の相互関係を示す系統図、図２３は使い方のメニュー画面での選択項目の一覧を示す図、図２４は詳細設定画面での選択項目の一覧を示す図である。
【００２７】
図２２に示すように、本リモコンにおいてボタン操作に対応して表示される表示画面には、大別して運転オフ時の系列と運転オン時の系列とがある。各系列において表示画面は階層化されており、運転オフ時では第５階層まで、運転オン時では第２階層までとなっている。具体的な表示画面の移行については後で説明する。
【００２８】
本リモコン１０は基本的に常時電源がオンされた状態になっており、本リモコンの設置時に通電が開始されたり、停電後に通電が再開されたり、或いはリセット動作がなされたりしたとき（ステップＳ１０）、中央制御部１１は後述する使い方メニューの選択項目を示す番号Ｎを１にセットするとともに、その番号の最大値Ｎｍａｘを１８にセットする（ステップＳ１１）。その後、表示制御部１５を介して操作／表示部２０に、図９に示す運転オフ画面Ａを表示する（ステップＳ１２）。
【００２９】
運転オフ画面Ａは基本となる第１階層の初期画面であり、下部の４個のボタン２０ａ、２０ｂ、２０ｃ、２０ｄには「運転入／切」、「使い方」、「各種設定」、「通話」の４つの機能がそれぞれ割り当てられる。また、上部表示画面２０ｊ中の右端のボタン２０ｉには「チャイルドロック」の機能が割り当てられ、他の４個のボタンは無効であって上部表示画面２０ｊ中には現在日時が表示される。
【００３０】
この運転オフ画面Ａが表示された状態において（ステップＳ２０）、使用者が「使い方」ボタン２０ｂを押すと（ステップＳ２１で「Ｙｅｓ」）、この操作信号を受けた中央制御部１１は、表示制御部１５を介して第２階層であるスタートデモ画面Ｂ（図１０参照）へと表示画面を切り替える（ステップＳ２２）。
【００３１】
このスタートデモ画面Ｂに移行した後（ステップＳ３０）、中央制御部１１による制御の下に、スタートデモプログラムが開始され（ステップＳ３１）、予め決められた手順でこのリモコン１０の基本的操作を説明するための表示が順次行われ、それに対応したガイダンス音声がスピーカ１７から発せられる。スタートデモ画面Ｂや後述する各選択項目のデモ画面では、図１０に示すようにボタン操作を表すために指形状の絵が現れるので、単に文字情報や音声情報だけで表現されるよりも直感的に理解し易くなっている。このスタートデモの実行中に、使用者が何らかの（何でもよい）ボタンを押すと（ステップＳ３２で「Ｙｅｓ」）、途中であってもスタートデモは中断され、第３階層である使い方メニュー画面Ｄ（図１２参照）へと移行する（ステップＳ３４）。何らのボタン操作が行われない場合にはスタートデモが継続され、一連のスタートデモが終了すると（ステップＳ３３で「Ｙｅｓ」）上記使い方メニュー画面Ｄへと移行する。
【００３２】
図１２に示すように、使い方メニュー画面Ｄでは、下部の４個のボタン２０ａ、２０ｂ、２０ｃ、２０ｄには「説明開始」、「選択↓」、「選択↑」、「終了」の４つの機能が割り当てられ、上部表示画面２０ｊには使い方の選択項目が選択自在に表示される。ここでは、その時点で選択されている項目（つまり上記Ｎで指定されている項目）は例えば白黒反転表示で示される（但し図１２では一点鎖線囲みで示している）。この選択項目の番号の範囲は１〜Ｎｍａｘであり、この例では１〜１８である。図２３に示したのが、ここで選択可能な１８種類の選択項目の内容である。
【００３３】
上記使い方メニュー画面Ｄが表示されている状態において（ステップＳ４０）、中央制御部１１は「説明開始」ボタン２０ａが押されたか否かを判定し（ステップＳ４１）、「説明開始」ボタン２０ａの操作が有った場合には、第４階層として、その時点で選択されている選択項目のデモ画面に移行する（ステップＳ４２）。一方、ステップＳ４１で「説明開始」ボタン２０ａの操作無しと判定されると、次に「選択↓」ボタン２０ｂの操作の有無を判定し（ステップＳ４３）、「選択↓」ボタン２０ｂの操作が有った場合には、Ｎに１を加算したものを新たにＮと定め（ステップＳ４４）、次にこのＮがＮｍａｘ＋１つまり１９であるか否かを判定し（ステップＳ４５）、Ｎが１９である場合にはＮを１に置換する（ステップＳ４６）。即ち、ステップＳ４４〜Ｓ４６の処理により、Ｎは１だけ増加するが、最大値である１８を越えると次に１へと戻り循環する。
【００３４】
ステップＳ４３で「選択↓」ボタン２０ｂの操作が無い場合、「選択↑」ボタン２０ｃの操作の有無が判定され（ステップＳ４７）、「選択↑」ボタン２０ｃ操作が有った場合には、Ｎから１を減じたものを新たにＮと定め（ステップＳ４８）、次にＮが０であるか否かを判定し（ステップＳ４９）、０である場合にはＮをＮｍａｘつまり１８に置換する（ステップＳ５０）。即ち、ステップＳ４８〜Ｓ５０の処理により、Ｎは１だけ減少するが、最小値である１を下回ると次に１８へと戻り循環する。このようにＮが増加方向又は減少方向に更新されると、上述したように上部表示画面２０ｊ中に白黒反転表示されている項目が移動すると共に、それに伴い白黒反転表示されている項目が必ず縦方向の中央に位置するように選択項目全体がスクロールされる。
【００３５】
ステップＳ４７で「選択↑」ボタン２０ｃの操作が無い場合、「終了」ボタン２０ｄ操作の有無が判定され（ステップＳ５１）、「終了」ボタン２０ｄ操作が有った場合には第１階層である運転オフ画面Ａへと戻り（ステップＳ５２）、一方、「終了」ボタン２０ｄ操作が無い場合にはステップＳ４１へと戻って上記処理を繰り返す。
【００３６】
従って使用者は、「選択↑」ボタン２０ｂ及び「選択↓」ボタン２０ｃの操作によって使い方を知りたい項目を選択し、選択したならば「説明開始」ボタン２０ａを押せばよい。例えば、項目１である「給湯温度を調整する」が選択されている状態で「説明開始」ボタン２０ａが押されると、図１３に示すデモ画面Ｅに切り替わる。このデモ画面Ｅでは、操作説明のために実際の操作画面（後述する図１８参照）とほぼ同様の表示が現れる。
【００３７】
こうしたデモ画面Ｅに移行した後（ステップＳ６０）、中央制御部１１による制御の下に、上記項目１（一般にはＮ）のデモプログラムが開始され（ステップＳ６１）、上部表示画面２０ｊには給湯温度を調整するための手順を説明する表示が順次現れるとともに、それに対応した音声ガイダンスがスピーカ１７から発せられる。このデモプログラムの実行中に、使用者が何らかの（何でもよい）ボタンを押すと（ステップＳ６２で「Ｙｅｓ」）、説明の途中でもデモは中断されて第５階層であるその項目Ｎの操作確認画面Ｆ（図１４参照）へと移行する（ステップＳ６４）。何らのボタン操作が行われない場合には、上記デモが継続され、一連のデモが終了すると（ステップＳ６３で「Ｙｅｓ」）上記操作確認画面Ｆへと移行する。
【００３８】
項目１の操作確認画面Ｆは図１４に示すように、下部の４個のボタンのうちの中央の２個のボタン２０ｂ、２０ｃに「はい」及び「いいえ」の２つの機能が割り当てられる。この操作確認画面Ｆが表示された状態（ステップＳ７０）で、使用者が「はい」ボタン２０ｂを押すと（ステップＳ７１で「Ｙｅｓ」）、項目１（一般にはＮ）を実行するための移行処理を行い（ステップＳ７２）、それによって図２１に示すような給湯温度変更画面Ｍへ切り替わる（ステップＳ７３）。
後述するが、この時点では既に運転オフの階層系列を抜け出し、運転オンの第２階層へと移行している。
【００３９】
ステップＳ７１で「はい」ボタン２０ｂ操作が無い場合には、次に「いいえ」ボタン２０ｃの操作の有無を判定し（ステップＳ７４）、「いいえ」ボタン２０ｃ操作が有れば、第３階層である使い方メニュー画面Ｄへと戻る（ステップＳ７５）。その後は、例えば他の項目を選択し、その使い方の説明を受けることができる。
【００４０】
一方、第１階層である運転オフ画面Ａが表示された状態で「各種設定」ボタン２０ｃが押された場合には、次に第２階層の各種設定画面Ｃ（図１１参照）へと移行する。各種設定画面Ｃでは、４個のボタン２０ａ、２０ｂ、２０ｃ、２０ｄには「運転入／切」、「節電入／切」、「詳細設定」、「通話」の各機能が割り当てられ、上部表示画面２０ｊ内の５個のボタンのうち３個のボタン２０ｅ、２０ｆ、２０ｉには「シンプル」、「音声確認」及び「もどる」の各機能が割り当てられる。ここで、「詳細設定」ボタン２０ｃが操作されると、第３階層である詳細設定画面Ｇ（図１５参照）に切り替わり、上述した使い方メニュー画面Ｄと同様に、複数の項目が選択自在に表示される。その選択項目の内容は図２４に示す通りである。
【００４１】
例えば、図１５に示した詳細設定画面Ｇにおいて項目１が選択されている状態で「確認」ボタン２０ａが押されると、図１６に示す表示画面Ｈに切り替わり、上部表示画面２０ｊには機種品番が表示される。また、上記詳細設定画面Ｇにおいて項目２が選択されている状態で「確認」ボタン２０ａが押されると、図１７に示す項目２の表示画面Ｉに切り替わり、上部表示画面２０ｊにはその時点で設定されている保温時間が表示される。この場合には、「保温時間＋」及び「保温時間−」の２個のボタン２０ｂ、２０ｃの操作により、保温時間を適宜に変更することができる。
【００４２】
また、第１階層である運転オフ画面Ａが表示された状態で「運転入／切」ボタン２０ａが押されると、運転オフの階層系列から運転オンの階層系列に移行し、図１８に示すような運転オン画面Ｊが表示される。この状態では「運転入／切」、「ふろ自動」、「浴室優先」、「通話」の各機能が割り当てられた４個のボタン２０ａ、２０ｂ、２０ｃ、２０ｄのみならず、上部表示画面２０ｊ中の５個のボタン２０ｅ、２０ｆ、２０ｇ、２０ｈ、２０ｉも全て能動化されている。例えば、使用者がふろ温度を示す「４０℃（この値は温度によって変わる）」ボタン２０ｅを押すと、表示画面は図１９に示すふろ温度変更画面Ｋに切り替わる。このふろ温度変更画面Ｋでは、下部の「ふろ温度−」及び「ふろ温度＋」ボタン２０ｂ、２０ｃを操作することにより、ふろ温度を１℃単位で所望値に変更することができる。
【００４３】
また、運転オン画面Ｊにおいて使用者がふろ水位を示す「水位４（この値は水位によって変わる）」ボタン２０ｆを押すと、表示画面は図２０に示すふろ水位変更画面Ｌに切り替わる。このふろ水位変更画面Ｌでは、下部の「ふろ水位−」ボタン２０ｂ及び「ふろ水位＋」ボタン２０ｃを操作することにより、ふろ水位を１〜１２の１２段階で所望値に変更することができる。
【００４４】
更にまた、運転オン画面Ｊにおいて使用者が給湯温度を示す「４２℃（この値は給湯温度によって変わる）」ボタン２０ｇを押すと、表示画面は図２１に示す給湯温度変更画面Ｍに切り替わる。この給湯温度変更画面Ｍでは、下部の「給湯温度−」及び「給湯温度＋」ボタン２０ｂ、２０ｃを操作することにより、給湯温度を１℃単位で所望値に変更することができる。ふろ温度、ふろ水位及び給湯温度の各変更画面Ｋ、Ｌ、Ｍで「もどる」ボタン２０ｉを押せば、運転オン画面Ｊへと戻り、このときの各ボタンの表示はその直前の変更内容が反映された状態になる。
【００４５】
上述したように、本実施例によるリモコン１０において、使用者が例えば給湯温度を変更しようとしたときに、ボタン操作の回数が少なくて済む手順としては、運転オフ画面Ａで「運転入／切」ボタン２０ａを押す→運転オン画面Ｊで「４２℃」ボタン２０ｇを押す、というものである。しかしながら、こうした操作手順を覚えていない場合には、上述したように、運転オフ階層系列で順次下の階層に下りていって、最終的な第５階層、つまり項目Ｎの操作確認画面Ｆから運転オン階層系列の第２階層（本発明における運転設定画面）へと移行するという手順を採ることも可能である。
【００４６】
後者の手順では、ボタン操作の回数は多くなるものの、既に述べたように、操作手順の説明を読みながら（及び音声ガイダンスで聴きながら）、指示された通りに順次操作を行うことによって、最終的な変更画面に辿り着くことができる。
従って、例えば冊子で提供される取扱説明書を読まなくても、或いは取扱説明書で充分には操作方法が理解できない場合であっても、適切な操作を行うことができる。従って、高齢者など、こうしたリモコン１０の操作に不慣れな者でも、間違いなく操作を行うことができる。
【００４７】
なお、上記説明は本実施例によるリモコン１０での操作・表示動作の一例を挙げたにすぎず、例えば使い方メニュー画面Ｄの項目１の給湯温度設定以外のいくつかの項目に関しても、同様の手順によって、その設定の手順を説明するデモ画面Ｅから操作確認画面Ｆへ移行し、更にその操作確認画面Ｆから運転オンの階層系統における各種の変更画面Ｋ、Ｌ、Ｍ等へとジャンプすることができる。また、例えば使い方メニュー画面Ｄの項目１０の「音声ガイドを消したい」或いは項目１３の「詳細設定を確認／変更したい」といった項目を選択した場合には、やはり同様の手順によって、その設定の手順を説明するデモ画面Ｅから、同じ運転オフ階層系列内の詳細設定画面Ｇやその中の各項目の表示画面（例えばＨやＩに相当するもの）へとジャンプすることができる。
【００４８】
また、上記実施例は本発明の一例にすぎず、本発明の趣旨の範囲で適宜に変更、修正、追加しても本発明に包含されることは明らかである。
【図面の簡単な説明】
【図１】本発明の一実施例であるリモコンの制御系のブロック構成図。
【図２】本実施例のリモコンを備えた住宅設備機器システムの概略構成図。
【図３】操作・表示処理を示すフローチャート。
【図４】操作・表示処理を示すフローチャート。
【図５】操作・表示処理を示すフローチャート。
【図６】操作・表示処理を示すフローチャート。
【図７】操作・表示処理を示すフローチャート。
【図８】操作・表示処理を示すフローチャート。
【図９】操作・表示処理に伴って表示される画面の一例を示す図。
【図１０】操作・表示処理に伴って表示される画面の一例を示す図。
【図１１】操作・表示処理に伴って表示される画面の一例を示す図。
【図１２】操作・表示処理に伴って表示される画面の一例を示す図。
【図１３】操作・表示処理に伴って表示される画面の一例を示す図。
【図１４】操作・表示処理に伴って表示される画面の一例を示す図。
【図１５】操作・表示処理に伴って表示される画面の一例を示す図。
【図１６】操作・表示処理に伴って表示される画面の一例を示す図。
【図１７】操作・表示処理に伴って表示される画面の一例を示す図。
【図１８】操作・表示処理に伴って表示される画面の一例を示す図。
【図１９】操作・表示処理に伴って表示される画面の一例を示す図。
【図２０】操作・表示処理に伴って表示される画面の一例を示す図。
【図２１】操作・表示処理に伴って表示される画面の一例を示す図。
【図２２】図９〜図２１の表示画面の相互関係を示す系統図。
【図２３】使い方のメニュー画面Ｄでの選択項目の一覧を示す図。
【図２４】詳細設定画面Ｇでの選択項目の一覧を示す図。
【符号の説明】
１…給湯機
２…浴室換気暖房乾燥機
３…通信線
４…浴室
５…台所
１０、１０Ａ、１０Ｂ…リモコン
１１…中央制御部
１２…通信制御部
１３…ＲＯＭ
１４…操作検知部
１５…表示制御部
１６…音声出力部
１７…スピーカ
２０…ステップＳ
２０…操作／表示部
２０ａ、２０ｂ、２０ｃ、２０ｄ、２０ｅ、２０ｆ、２０ｇ、２０ｈ、２０ｉ…ボタン
２０ｊ…上部表示画面
Ａ…運転オフ画面
Ｂ…スタートデモ画面
Ｃ…各種設定画面
Ｄ…使い方メニュー画面
Ｅ…使い方：項目１のデモ画面
Ｆ…使い方：項目１の操作確認画面
Ｇ…詳細設定画面
Ｈ…項目１の表示画面
Ｉ…項目２の表示画面
Ｊ…運転オン画面
Ｋ…温度変更画面
Ｌ…ふろ水位変更画面
Ｍ…給湯温度変更画面
【図１】
2004293921.tif 000003
【図２】
2004293921.tif 000004
【図３】
2004293921.tif 000005
【図４】
2004293921.tif 000006
【図５】
2004293921.tif 000007
【図６】
2004293921.tif 000008
【図７】
2004293921.tif 000009
【図８】
2004293921.tif 000010
【図９】
2004293921.tif 000011
【図１０】
2004293921.tif 000012
【図１１】
2004293921.tif 000013
【図１２】
2004293921.tif 000014
【図１３】
2004293921.tif 000015
【図１４】
2004293921.tif 000016
【図１５】
2004293921.tif 000017
【図１６】
2004293921.tif 000018
【図１７】
2004293921.tif 000019
【図１８】
2004293921.tif 000020
【図１９】
2004293921.tif 000021
【図２０】
2004293921.tif 000022
【図２１】
2004293921.tif 000023
【図２２】
2004293921.tif 000024
【図２３】
2004293921.tif 000025
【図２４】
2004293921.tif 000026